(57)【要約】【課題】メールの受信者側が受信条件を選択可能にし、不必要な転送メールや添付ファイルの受信を拒否することができるメール転送制御システムを提供する。【解決手段】ＩＣカードと、ＩＣカードリーダライタを具備する通信端末と、ネットワークを介して通信端末と通信可能に接続されたメールサーバとを有し、ＩＣカードは、メールの転送条件プログラムが記憶された記憶手段を有し、ＩＣカードリーダライタは、ＩＣカードに記憶された転送条件プログラムを読み取る手段と、読み取った転送条件プログラムを通信端末に伝送する手段とを有し、通信端末は、転送条件プログラムを、ネットワークを介しメールサーバに送信する手段を有し、メールサーバは、通信端末から受信した転送条件プログラムを記憶手段に登録する手段と、前記記憶手段に記憶された転送条件プログラムに基いてメール転送処理の制御をする手段とを有する。【選択図】        図１
2005031712.tif 000002
【特許請求の範囲】
【請求項１】
ＩＣカードと、ＩＣカードリーダライタを具備する通信端末と、ネットワークを介して前記通信端末と通信可能に接続されたメールサーバと、を有するメール転送制御システムであって、
前記ＩＣカードは、前記メールサーバから前記通信端末に対して転送されるメールの転送条件プログラムが記憶された記憶手段を有し、
前記ＩＣカードリーダライタは、前記ＩＣカードに記憶された転送条件プログラムを読み取る手段と、読み取った前記転送条件プログラムを前記通信端末に伝送する手段とを有し、
前記通信端末は、前記転送条件プログラムを、ネットワークを介してメールサーバに送信する手段を有し、
前記メールサーバは、前記通信端末から受信した転送条件プログラムを記憶手段に登録する手段と、前記記憶手段に記憶された転送条件プログラムに基いてメール転送処理の制御をする手段と、
を有することを特徴とするメール転送制御システム。
【発明の詳細な説明】
【０００１】
【発明の属する技術分野】
本発明は、ＩＣカードと、ＩＣカードリーダライタを具備する通信端末と、ネットワークを介して前記通信端末と通信可能に接続されたメールサーバと、を有するメール転送制御システムに関する。
【０００２】
【従来技術】
従来、通信端末からメールを送信する場合に、送信内容と宛先情報とを入力して所望の宛先（Ｔｏ）にメールを送信するが、これらのメールに添付ファイルを付けて送信したり、またそれらのメールのメールコピー（Ｃｃ）をその他の宛先に対して送信したりするなどしている。
【０００３】
これらの電子メールによる通信システムにおいては、送信者がメールを送信する宛先を特定すると共に、更にそのメールコピーを第三者にも送信することができる機能を有している。
更に、これらのメールに添付ファイルを付けて、その宛先やコピーメールを送信する第三者に対しても送信する機能も有している。
一般的にこれらのメールシステムでは、メールの送信者側の一方的な判断で誰に対してメール、メールコピー、添付ファイルを送信するか否かを決めて送信されるために、受信者側における受信の拒否ができない。
【０００４】
このために、これらのコピーメールや添付ファイルを受信する第三者において、コピーメールや添付ファイルが不要である場合にも受信しなければならず、ウェブ上を多大な量のデータが行き来することとなり、メールサーバや通信端末に余計な負担をかけてしまうという問題がある。
メール転送を制御する公知技術としては、既に知られている技術もあるが（例えば、特許文献１及び特許文献２参照）、これらの技術では、メールの受信者側からメール受信に対する選択を行なえず、受信者側が受信をしたくないデータも受信しなければならない。
【０００５】
【特許文献１】
特開２００２−１３５２９３
【特許文献２】
特開２００２−３４４５２３
【０００６】
【発明が解決しようとする課題】
そこで、本発明は、メールの受信者側が、転送されてくるメールに対する受信条件を選択して設定することを可能にして、受信したくない不必要な転送メールや添付ファイルの受信を拒否することができ、メールサーバ、通信端末、通信回線上の負担を軽減できるようにしたメール転送制御システムを提供する。
【０００７】
【課題を解決するための手段】
上記課題を解決するために、本発明のメール転送制御システムは、ＩＣカードと、ＩＣカードリーダライタを具備する通信端末と、ネットワークを介して前記通信端末と通信可能に接続されたメールサーバと、を有するメール転送制御システムであって、前記ＩＣカードは、前記メールサーバから前記通信端末に対して転送されるメールの転送条件プログラムが記憶された記憶手段を有し、前記ＩＣカードリーダライタは、前記ＩＣカードに記憶された転送条件プログラムを読み取る手段と、読み取った前記転送条件プログラムを前記通信端末に伝送する手段とを有し、前記通信端末は、前記転送条件プログラムを、ネットワークを介してメールサーバに送信する手段を有し、前記メールサーバは、前記通信端末から受信した転送条件プログラムを記憶手段に登録する手段と、前記記憶手段に記憶された転送条件プログラムに基いてメール転送処理の制御をする手段と、を有することを特徴とする。
【０００８】
【発明の実施の形態】
以下、本発明の実施の形態を図面に基づいて詳細に説明する。
図１は、本発明の実施形態に係るメール転送制御システムの概要を説明する図、図２は、本発明の実施形態に係るメール転送制御システムのシステムブロック図、図３は、本発明の実施形態に係るメール転送制御システムの処理手順を示すフローチャートである。
【０００９】
本発明の実施形態に係るメール転送制御システムは、図１に示すように、例えば、メールを送信する側の通信端末１と、メールサーバ２と、メールを受信する側の通信端末３とが、インターネット４により通信可能に接続され、通信端末１からメールサーバ２を介して通信端末３へメールを送信できるようにシステム化されている。
通信端末１からメールサーバ２を介して通信端末３へ送信するメールの種類としては、宛先（Ｔｏ）として送信する場合と、コピー（Ｃｃ）として送信する場合と、添付ファイルをメールに付して送信する場合などがあり、これらの送信条件を通信端末１により送信者が設定することで、送信条件の選択を行なうことができるように構成されている。
【００１０】
また、メールを受信する側の通信端末３には、ＩＣカードリーダライタ５が備えられ、ＩＣカード６に記憶されている転送条件プログラムをＩＣカードリーダライタ５で読み取り、この読み取られた転送条件プログラムを、ＩＣカードリーダライタ５を介して通信端末３で入手できるようにしてある。
更に、通信端末３からメールサーバ２に対して、インターネット４を介してＩＣカードリーダライタ５で読み取られたＩＣカード６に記憶されている転送条件プログラムを送信できるように構成されている。
【００１１】
次に、本発明の実施形態に係るメール転送制御システムのシステム構成を図２に基いて説明する。
メールを受信する側の通信端末３を使用するメール受信者は、予め発行されたＩＣカード６を所持している。
このＩＣカード６には、入出力手段７、記憶手段８、制御手段９などを有していて、記憶手段８には、転送条件プログラムが記憶されている。
入出力手段７は、ＩＣカードリーダライタ５との間で情報の読み取り及び書込みを行なう。
【００１２】
また、この記憶手段８に記憶されている転送条件プログラム９は、メールサーバから通信端末３に対して転送されるメールに関する転送の条件を含むプログラムである。
この転送条件プログラムは、ＩＣカード６の所持者が自由に選択して設定すればよく、自分の都合に応じて受信を拒否する条件などを任意に定めておくことができる。
【００１３】
転送条件プログラムにおける転送条件のとしては、例えば、宛先（Ｔｏ）の場合にだけ受信する場合、宛先（Ｔｏ）又はコピー（Ｃｃ）の場合に受信する場合、更に、コピー（Ｃｃ）に添付ファイルが付されている場合に、添付ファイルを受信する場合と、受信しない場合とを選択して設定するなどの基本的な条件がある。
また、上記の他にもオリジナルなメール転送条件を追加するなどして、受信者が望む各種の受信条件を設定して、ＩＣカード６の記憶手段８に記憶させておくことができる。
【００１４】
また、メールを受信する側の通信端末３には、ＩＣカードリーダライタ５との間で情報の読み取り及び書込みを行なう入出力手段１０、表示手段１１、入力手段１２、記憶手段１３、通信手段１４、制御手段１５、などを有している。
通信手段１４は、ＩＣカードリーダライタ５でＩＣカード６から読み取った転送条件プログラム９を、インターネット４を介してメールサーバ２に送信すると共に、メールサーバ２との間でメールの送受信を行なう機能を有している。
【００１５】
また、メールを送信する側の通信端末１にも、メールを受信する側の通信端末３と同様の各種手段を有していて、インターネット４を介してメールサーバ２との間でメールの送受信を行なう機能を有している。
【００１６】
メールサーバ２には、通信手段１６、メール送受信制御手段１７、端末識別手段１８、ファイル添付手段１９、記憶手段２０、メールデータベース２１、制御手段２２、などを有している。
通信手段１６は、インターネット４を介してメールを送信する側の通信端末１及びメールを受信する側の通信端末３との間でメールの送受信を行なう機能を有している。
【００１７】
メールデータベース２１には、メールを送信する側の通信端末１から受信したメール情報が随時蓄積されて登録される。
また、記憶手段２０には、メールを受信する側の通信端末３から受信した転送条件プログラム９を記憶させておくことができ、メール送受信制御手段１７により、メールが受信された際に、転送条件プログラム９に基いて受信したメールの転送が行なわれる。
【００１８】
更に、端末識別手段１８は、メールサーバ２からメールを転送する際に、転送する端末を識別可能とする手段である。
また、ファイル添付手段１９は、受信したメールに添付ファイルが付されている場合に、記憶手段２０に記憶された転送条件プログラム９に基いて、添付ファイルを付す場合と、付さない場合とに選択される。
したがって、メールサーバ２からメールの転送を行なう場合には、転送先の通信端末に関して、記憶手段２０に記憶された転送条件プログラム９において、何かしらの転送条件における制限の有無があるか否かがチェックされ、転送条件プログラム９に基いたメール転送が行なわれるようにしてある。
【００１９】
次に、本発明の実施形態に係るメール転送制御システムの処理手順を、図３のフローチャートに基いて説明する。
ＩＣカード６の記憶手段８には、既に転送条件プログラム９が記憶されているものとして、処理手順を説明する。
まず、メールを受信する側の通信端末３を使用する利用者は、ＩＣカードリーダライタ５にＩＣカード６をセットして、ＩＣカード６の記憶手段８に記憶された転送条件プログラム９を読み取らせ、通信端末３に伝送させる。（ステップＳ１）
【００２０】
次に、通信端末３からインターネット４を介してサーバ２に転送条件プログラム９を送信する。（ステップＳ２）
転送条件プログラム９を受信したサーバ２は、転送条件プログラム９を記憶手段２０に記憶させる。（ステップＳ３）
そして、メールを送信する側の通信端末１から、メールサーバ２に対してメールが送信された場合に、メールサーバ２の記憶手段２０に記憶された転送条件プログラム９に基いて、メール送受信制御手段１７による転送制御が行われ、設定された転送条件に応じたメールが通信端末３に対して送信される。（ステップＳ４）
【００２１】
【発明の効果】
以上説明したように、本発明のメール転送制御システムは、ＩＣカードに記憶させた転送条件プログラムを、メールの受信者側からメールサーバに対して送信して登録させておくので、メールの受信者側が転送されてくるメールの受信条件を選択することができ、受信したくない不必要な転送メールや添付ファイルの受信を拒否することができ、また、これによりメールサーバ、通信端末、通信回線上の負担を軽減できるという効果がある。
【図面の簡単な説明】
【図１】本発明の実施形態に係るメール転送制御システムの概要を説明する図である。
【図２】本発明の実施形態に係るメール転送制御システムのシステムブロック図である。
【図３】本発明の実施形態に係るメール転送制御システムの処理手順を示すフローチャートである。
【符号の説明】
１，３  通信端末
２  メールサーバ
４  インターネット
５  ＩＣカードリーダライタ
６  ＩＣカード
７，１０，１２  入出力手段
８，１３，２０  記憶手段
９，１５，２２  制御手段
１１  表示手段
１４，１６  通信手段
１７  メール送受信制御手段
１８  端末識別手段
１９  ファイル添付手段
２１  メールデータベース
【図１】
2005031712.tif 000003
【図２】
2005031712.tif 000004
【図３】
2005031712.tif 000005